(57)【要約】【課題】従来、着物の着付けや、着物の販売のための試着においては、着物の着用者や試着される者が長い時間立ちっぱなしで行われており、苦しいものであった。特に販売のためにお客を長い時間立たせたままで試着することは、営業成績の上で問題があった。【解決手段】着物の着用者や試着される者が、支持部材に寄りかかった状態で着付けや試着がおこなわれるようにした。また、着用者の身長に対応してその高さが調整できるようにした。【選択図】図１４
2009112747.tif 000002
【特許請求の範囲】
【請求項１】
床面に載置した台板と、台板に立設した支柱と、高さ調整手段を介在して支柱の頭部に連結した支持部材とで構成し、高さ調整手段は、台板に載った着用者の背部で帯の装着予定位置の下方の支持適正箇所に支持部材が臨むように、支持部材の高さを移動調整自在とし、着用者が支持部材に寄りかかって安定した姿勢の状態で着付けや試着が行えるようにしたことを特徴とする着物の着付け装置。
【請求項２】
支柱を着物の着用者方向に傾斜もしくは屈曲させて台板に立設し、支持部材が支柱の基端部より着物の着用者方向に位置するようにして、着用者の支持部材への寄りかかり状態が安定するようにしたことを特徴とする請求項１記載の着物の着付け装置。
【請求項３】
支柱の基端部より着物の着用者の背部方向に台板を延長して安定部を形成し、着物の着用者の支持部材への寄りかかり状態が安定するようにしたことを特徴とする請求項１記載の着物の着付け装置。
【請求項４】
支柱は、台板上で折りたたみ自在となるように折りたたみ手段を介在して台板上に立設し、折りたたんで運べるようにしたことを特徴とする請求項１、請求項２、請求項３に記載の着物の着付け装置。
【請求項５】
着物の着用者がその背部を支持部材に支えられた状態で着付けができる着付け装置であり、支持部材は着用者の帯の装着予定位置の下方の支持適正箇所を支持できるように、着用者の身長に対応してその高さを調整する高さ調整手段を備えた着付け装置を用い、
着用者の着物の着丈を決めて裾位置が変わらないようにしてから、
着用者の背部を、支持部材に対向させるステップ、
着用者の身長に対応して高さ調整手段を操作し、支持部材を着用者の帯の装着予定位置の下方で支持適正高さに調整するステップ、
着用者を支持部材に寄りかからせるステップ、
着用者が支持部材に支えられたままの安定した姿勢の状態で、着付けもしくは試着を完成するステップ、
着用者を支持部材への寄りかかり状態から解除させるステップ、
を含むことを特徴とする着物の着付け方法。
【請求項６】
着物の着用者を載せる台板と、着用者の前方と後方の台板の両端部に基端部を連結して先端部が台板上方に交差する傾きで立設した主柱と副柱と、主柱の頭部には高さ調整手段を介在して支持部材を設け、副柱は先端部を主柱に連結して主柱の倒伏を支持するようにした着物の着付け装置であり、高さ調整手段は、台板に載った着用者の背部で帯の装着予定位置の下方の支持適正箇所に支持部材が臨むように、支持部材の高さを移動調整自在とし、着用者が支持部材に寄りかかって安定した姿勢の状態で着付けや試着が行えるようにしたことを特徴とする着物の着付け装置。
【請求項７】
主柱と副柱の基端部で台板との連結個所に於いて、一方を折りたたみ自在に枢着し他方を連結解除自在とし、副柱の先端部と主柱との連結個所を解除自在として折りたたんで運べるようにしたことを特徴とする請求項６記載の着物の着付け装置。
【請求項８】
主柱と副柱の基端部で台板との連結個所に於いて、一方を折りたたみ自在に枢着し他方を連結解除自在とし、副柱の先端部と主柱の連結個所は折りたたみ自在に枢着して折りたたんで運べるようにしたことを特徴とする請求項６記載の着物の着付け装置。
【発明の詳細な説明】
【技術分野】
【０００１】  この発明は、着物の着付けや試着にあたり、着物の着用者と着付け作業者や販売者の快適性と経済性の向上を促すようにした着物の着付け装置と、それを用いた方法に関する。
【背景技術】
【０００２】  冠婚葬祭の式場や呉服店等では着物の着付け自体が業として行われているが、この着付け（振袖の着付けを例として）の手順の概要を以下に示す。【０００３】（１）脱衣と下着の着用
（イ）服やスカートを脱いで、下半身に裾よけ（腰巻）、上半身に肌襦袢（丈の短い肌着）を付ける。
（ロ）襦袢（着物の下に着用する着丈に合わせた下着）をはおらせる。
以上の工程は、カーテンの仕切内等、人目より隠した場所で行われるが、以降の工程ではその必要がない。【０００４】（２）襦袢の着付け
（イ）襦袢の衣紋（後側の衿の部分）の抜き加減を決める。
（ロ）前側で衿を合わせて、衿の位置を決める。
（ハ）胴部に腰紐を縛って（イ）（ロ）がズレないようする
（ニ）腰紐の外側より伊達締め（薄い帯状の紐で、体形を整えるもの）を縛る。【０００５】（３）着物の着用
（イ）襦袢１の上に着物２（図では振袖）をはおらせる。（図１）
（ロ）着用者Ａの前側で衿先３を持って後側の裾４の長さを決める。（図２）
（ハ）着物２の上前５（着用者に向かって着物の右側の端）を腰幅に合わせて、上前５側の裾４の長さを決める。（図３）
（ニ）下前６（着用者に向かって着物の左側の端）を同様に腰幅に合わせて、下前６側の裾４の長さを決める。（図４）
（ホ）裾４の長さが変わらないようにしながら、下前６と上前５の前後の合わせ位置を逆にする。（図５）
（ヘ）裾４の長さ（着丈）を確認して、おはしょり７（胴部で折り返した部分）の内側に腰紐８を縛る。これで下半身部の合わせ位置や着丈が決まるので、着用者Ａが動いても裾４の位置は変わらないようになる。（図６）（図７）
（ト）着物２の衣紋９の抜き加減を襦袢１に合わせ、衿１０の位置を決める。（図８）
（チ）おはしょり７の形を整え、この上から腰紐１１で縛って、衣紋９と衿１０が崩れないようにする。（図８）
（リ）腰紐１１の外側より伊達締め１２を縛って体形を整える。（図９）【０００６】（４）帯の着付け
（イ）伊達締め１２の前側に前板（帯１３を巻いた時に帯１３がへこんだりしないようにする薄い板）を付けて帯１３を巻く位置を決める。
（ロ）帯１３の折幅を決めて、帯１３を胴部に巻く。この時、背中側では帯の折り返しの内に後板（前板と同様の作用）を入れて巻く。
（ハ）着用者Ａの背中側で帯１３を１結びして、一端（手先）１４を左肩に預け他端（たれ）１５を右下に垂らす。（図１０）
（ニ）帯１３の左肩に預けた一端（手先）１４を真下に下ろして、他端（たれ）１５で羽１６（帯１３の飾り部分）を作る。（図１１）
（ホ）手先１４の先端を持ち上げて、羽１６の下側に輪を１７つくる。（図１２）
（ヘ）羽１６の下で輪１７の外側に、帯揚げ１８で包んだ帯枕１９入れて羽１６の根元を支え、帯揚げ１８を体の前で縛って羽１６が落ちないようにする。（図１２）
（ト）手先１４の輪１７の内に帯締め２０を通して、体の前で縛って、帯１３がずれないようにする。（図１２）
（チ）全体の確認をして着付けを終了する。【０００７】  以上の着付け工程の所要時間を、着付けの熟練者のうち比較的手の早い前者と、一般的な後者を例として測定すると、（１）の脱衣と下着の着用工程で約３分から５分、（２）襦袢の着付け工程で約３分から５分、（３）着物の着用工程のうち（イ）から（ヘ）の腰紐を縛って着丈を決めるまでの工程で約３分から６分程度の時間がかかる。【０００８】  ここまでの工程で、着付けの基礎的な部分を終了し、次に、（ト）から（リ）の着物の着用工程で約１０分から１５分かかるが、この工程では、衣文、衿、おはしょりの位置及び形の整え作業と、次の帯の着付けのための下地形成（帯がきれいに装着できるように、腰にタオル等を巻いて体形を補正する）が行われ、帯の着用前の着付けが完成する。【０００９】  次に（４）の帯の着付け工程で着付け技術の真価（外観の美しさや、帯の締め付けも程よい程度で着崩れがしない等）が問われることとなる。帯の着付けの工程は、振袖（羽を作る）の場合で約１５分から２０分程度、一般のお太鼓結びで約１０分から１５分程度の時間がかかる。
各工程の経過時間を合計すると、振袖の着付けの場合で約３４分から５１分であり、普段着等に利用するお太鼓結びの場合は２９分から４６分である。
これらの時間は、着物・帯等の着用する材料、着付けの手順、作業環境、作業者の習熟度合い等で変化するものであるが、上記の測定結果は、これらの諸条件を変えて測定した結果であり、さらに着付けの材料（紐・帯・枕等）を手元に持ってくる時間は含まれていない。
【発明の開示】
【発明が解決しようとする課題】
【００１０】  以上に述べた従来の着物の着付けでは、着物の着用者側に於いては、
（１）着付けされる時間の約３０分から５０分程度の間は立ちっぱなしを強いられ、非常に苦痛を伴い、特に年長者は体調不良等を招くこともあった。
（２）紐や帯で縛られる時に、体の前後を引っ張られたり、押されたりするので、この時は足を踏ん張っていなければならず、体力の無い人には辛いところがあった。
（３）（２）を原因として、帯を締められるときに体がフラ付いていると、ほどよい締め付けがされずに、強すぎて胸が苦しいとか、逆に弱すぎて帯がゆるんできた等の問題があった。【００１１】  着物を着付ける作業者側においては、
（１）着付け作業は、腰をかがめて中腰の無理な姿勢で行う場合（特に帯を着用させる工程等）が多く、着用者の姿勢が安定していないと難しいものであり、特に紐や帯を締めるときに着用者がフラ付き易いので、カンで行われる、ほどよい締め付け力の調整が難しく、結果として帯を締めすぎて苦痛を招いたり、逆に弱すぎてすぐに弛んで帯が落ちたりすることがあった。
（２）上述の原因で、従来の着付け環境では、着物の着用者並びに着付け作業者の双方に、本来楽しみのために行われる着付けが、苦しみを伴うものとなっており、ひいては着物の普及を阻害する原因となっていた。
（３）また呉服店や呉服の展示会場では、お客様を立たせた状態で着物や帯をコーディネート（出来合いの着物の試着や、反物を体に掛けたり帯をあてたりする擬似的な着付け等）をして販売をおこなうが、お客様は長い時間立ちっぱなしとなり、あまり長すぎると疲労を原因として販売の機会を逸する恐れがあった。【００１２】  本発明は、このような従来の着物の着付けに於ける問題点を解決しようとするものである。
【課題を解決するための手段】
【００１３】  着物の着付けの各工程を考察すると、前述の従来の着付け手法で示した（３）着物の着用の（ヘ）の着丈を確認して、おはしょり（胴部で折り返した部分）の内側を腰紐で縛る工程を完了すると、下半身部の上前、下前の合わせ位置や裾の長さが決まり（着丈が決まると）、着用者が多少動いても裾の位置（着物の腰から下）はズレたり動いたりしないようになることがわかった。【００１４】  従って、この着丈を決めた工程より以降の工程では着用者が立ったままの姿勢で、背部の着付けの邪魔にならない箇所を支持部材に寄りかかられるようにすれば、従来の問題点が解決できる。【００１５】この発明の（１）の解決手段は、床面に載置した台板と、台板に立設した支柱と、高さ調整手段を介在して支柱の頭部に連結した支持部材とで構成し、高さ調整手段は、台板に載った着物の着用者の背部で帯の装着予定位置の下方の支持適正箇所に支持部材が臨むように、支持部材の高さを移動調整自在とし、着用者が支持部材に寄りかかって安定した姿勢の状態で着付けや試着が行えるようにした着物の着付け装置を提供したものである。【００１６】  （２）の解決手段は（１）の支柱を着物の着用者方向に傾斜もしくは屈曲させて台板に立設し、支持部材が支柱の基端部より着物の着用者方向に位置するようにして、着用者の支持部材への寄りかかり状態が安定するようにした着物の着付け装置を提供したものである。【００１７】  （３）の解決手段は（１）の支柱の基端部より着物の着用者の背部方向に台板を延長して安定部を形成し、着物の着用者の支持部材への寄りかかり状態が安定するようにした着物の着付け装置を提供したものである。【００１８】  （４）の解決手段は（１）の支柱は、台板上で折りたたみ自在となるように折りたたみ手段を介在して台板上に立設し、折りたたんで運べるようにした着物の着付け装置を提供したものである。【００１９】  （５）の解決手段は、着物の着用者がその背部を支持部材に支えられた状態で着付けができる着付け装置であり、支持部材は着用者の帯の装着予定位置の下方の支持適正箇所を支持できるように、着用者の身長に対応してその高さを調整する高さ調整手段を備えた着付け装置を用い、着用者の着物の着丈を決めて裾位置が変わらないようにしてから、着用者の背部を、支持部材に対向させるステップ、着用者の身長に対応して高さ調整手段を操作し、支持部材を着用者の帯の装着予定位置の下方で支持適正高さに調整するステップ、着用者を支持部材に寄りかからせるステップ、着用者が支持部材に支えられたままの安定した姿勢の状態で、着付けもしくは試着を完成するステップ、着用者を支持部材への寄りかかり状態から解除させるステップ、を含む着物の着付け方法を提供したものである。【００２０】  （６）の解決手段は着物の着用者を載せる台板と、着用者の前方と後方の台板の両端部に基端部を連結して先端部が台板上方に交差する傾きで立設した主柱と副柱と、主柱の頭部には高さ調整手段を介在して支持部材を設け、副柱は先端部を主柱に連結して主柱の倒伏を支持するようにした着物の着付け装置であり、高さ調整手段は、台板に載った着物の着用者の背部で帯の装着予定位置の下方の支持適正箇所に支持部材が臨むよう���、支持部材の高さを移動調整自在とし、着用者が支持部材に寄りかかって安定した姿勢の状態で着付けや試着が行えるようにした着物の着付け装置を提供したものである。【００２１】  （７）の解決手段は（６）の主柱と副柱の基端部で台板との連結個所に於いて、一方を折りたたみ自在に枢着し他方を連結解除自在とし、副柱の先端部と主柱との連結個所を解除自在として折りたたんで運べるようにした着物の着付け装置を提供したものである。【００２２】  （８）の解決手段は（６）の主柱と副柱の基端部で台板との連結個所に於いて、一方を折りたたみ自在に枢着し他方を連結解除自在とし、副柱の先端部と主柱の連結個所は折りたたみ自在に枢着して折りたたんで運べるようにした着物の着付け装置を提供したものである。【００２３】  上記の（１）の課題解決手段による作用は次の通りである。すなわち、支持部材は高さ調整手段でその高さを調整できるので、着用者の背丈に対応して高さ調整をおこなって、着付け作業の邪魔にならない箇所で着用者を安定して支持でき、この際、着用者の体重が台板にかかるので支持部材に寄りかかっても台板が転倒することはない。また台板は床面と高さを略同一としているので、台板の縁が着付け作業の邪魔になることはない。【００２４】  （２）（３）の解決手段による作用は次の通りである。すなわち、支持部材が支柱の基端部より着用者方向に位置しているか、もしくは台板を支柱の基端部より着用者の背部方向に延長して安定部を形勢したので、台板の転倒防止がさらに計られる。【００２５】  （４）の解決手段による作用は次の通りである。支柱は台板上に折りたたむことができる。【００２６】  （５）の解決手段による作用は次の通りである。すなわち、着用者は着物の着丈を決めた以降は、支持部材に寄りかかって着付けされることとなる。【００２７】  （６）（７）（８）の解決手段による作用は次の通りである。すなわち、着用者が支持部材に寄りかかった状態で、主柱は副柱との連結部で支えられて倒伏防止が計られる。また台板、主柱および副柱は嵩張らないように折りたたまれる。台板と主柱もしくは副柱の連結部のうち連結を解除自在とする個所は、台板に着用者が載った状態でこの荷重でハズレ防止が計られる。
【発明の効果】
【００２８】  上述したように本発明の着物の着付け装置と、それを用いた着付け方法は下記の効果を発揮するものである。【００２９】  （１）着物の着付けに要する時間（約３０分から約５０分）のうち、着丈を決めた以降の着付けの工程（約２０分から３５分の所要時間）では、着用者は着付け作業の邪魔にならずに支持部材に体を預けて安楽な状態で寄りかかっていられ、これは着付け時間全体の約７０％を占め、さらには着付け工程の後半で、従来は体が次第に辛くなってくる時においても、時間の経過にあまり関係なく楽な状態でいられる。一方、着付けの作業者も着用者の気分や具合を気遣うことがないので、着付け作業がはかどる。【００３０】  （２）着用者は支持部材で支持適正箇所（着用者の背部で帯の装着予定位置の下方、すなち着丈を決めた以降の着付け作業の邪魔にならない個所）（臀部から太腿にかけての箇所）を支持部材に寄りかからせる（図１４のように臀部の下側を寄りかからせるか、もしくは図２３のように臀部の上側を寄りかからせる）ことで、頭が後側に反りぎみとなり背筋が伸びて姿勢が良くなる。この姿勢は、例えば椅子に腰掛けて背筋を伸ばしたような無理に行なわれるものではなく自然に行われるので、非常に楽な状態で背筋が伸びた姿勢が維持され、特に衿１０の後ろ側（衣紋の抜き加減）や前側の衿合わせの形並びに襦袢１との位置合わせがきれいにでき、寄りかかりの解除後（着付けの終了後）においても着丈やこれらの合わせ位置や形が変わることがなく、未熟な作業者でも着付けの完成度が高くなる。【００３１】  （３）支持部材は簡易に高さを調節できるので、着用者の背丈に対応して一番楽な高さで着用者を支持できる。【００３２】  （４）（３）に於いて着用者が支持部材でその姿勢を安定して支持されるので、腰紐や伊達締めを縛ったり、また、帯をまわして帯を結ぶ（羽を形成したり）等の着付け工程でも、着用者は足を踏ん張る等のように特に力をいれなくても体がフラついたりせず殆ど動くことが無いので、着付け作業者は紐や帯の締め加減を理想的な強さに調整することが楽に行え、結果として着用者は体が苦しかったり、逆にゆるすぎて着付け状態がくずれたりすることがない。【００３３】  （５）例えば、着用者を椅子に座らせて前述のように着付けを行った場合、着用者の着物は体の前側で縮み、後ろ側（臀部）で伸ばされてたとえ腰紐で強く縛っていたとしても次第にズレてきて裾、衿、衣紋等の合わせや形が狂ってしまう。また、帯の高さが非常に下となり着付け作業に支障をきたし、仮に椅子自体を上昇させるようにしても随分な距離を上げなければならず、着用者に恐怖感をあたえることが考えられる。着用者を支持部材に寄りかからせて着付けを行うことでこのような問題点が解決できる。【００３４】  （６）支持部材を備えた支柱を台板上に折りたたむことで、簡易に運ぶことができるので、出張の着付け作業や展示販売会等での利用を促し、不要の時は邪魔にならずに保管しておける。【００３５】  （７）支柱を主柱と副柱とで構成した実施例では、木やアルミパイプ等で形成して全体を軽量にすることで、特に会場を変えながら行う着物の展示即売等に於いては、運搬や設置が簡単に行える。【００３６】  （８）支持部材の高さ調整手段に、ロック付きのガススプリングを利用した場合は、台板に立設した支柱の内部に入れて利用できるので外観も良く、高さを調整をすると自動的にロックされるので操作性も良い。【００３７】  （９）以上の効果が相乗的に作用することで、この発明の着物の着付け装置及び着付け方法は着物離れの一因となっていた着付けの熕わしさや辛さを解消することとなりひいては着物の販売を促進させて着物産業の発展に寄与できる。
【発明を実施するための最良の形態】
【００３８】  以下、本発明の実施の形態を図１３から図４８に基づいて説明する。【００３９】  図１３から図２９は解決手段（１）から（５）の実施例を示し、図１３から図１５で示した着物の着付け装置は、床面に載置した台板２１に立設した支柱２２と、この支柱２２の頭部に設けた支持部材２３とで構成している。並び設けられた支柱２２はその基端部を、着物の着用者Ａの背部方向の台板２１上に取付金具２４によって固着されている。取り付け金具２４は台板２１上に固着され且つ、対向して設けた立ち上がり部２５の内側に支柱２２を係合させてビス２５ａで固定している。【００４０】  支持部材２３は以下の高さ調整手段２６によってこの高さを調整できる。すなわち、支柱２２の頭部と一致する個所に上下方向にガイド穴２７が貫通され、このガイド穴２７を支柱２２に挿入することで支持部材２３は上下方向に自在に移動してその高さを変えることができる。支柱２２の外側には適宜な調整間隔で係止穴２８が設けられ、支持部材２３はこの係止穴２８との対応個所にストッパー２９が装着されている。【００４１】  ストッパー２９は図２２で示したように、支持部材２３に螺着して内部にコイルスプリング３０を収納した収納穴３１とピン３２を挿通するピン穴３３を備えたナット３４と、一端にノブ３５ａを設け、ピン３２の外周に形成した押圧板３６によってコイルスプリング３０の弾発力を規制し、先端の係止部３７を支柱２２の係止穴２８にバネ作用により係止および開放自在に嵌入する操作部３５とで構成している。
以下、上記構成の動作を説明する。【００４２】  支持部材２３は、ストッパー２９で図２２で示したように高さを固定されているが、ノブ３５ａを矢印方向に引いて先端の係止部３７が係止穴２８より離脱した状態で上下に移動させて高さを調節することができる。
支持部材２３の移動時には、係止部３７は係止穴２８から外れた状態で支柱２２の外側に先端を押圧して摺動し、次の係止穴２８に至ると前記と同様にして嵌入して支持部材２３を固定する。【００４３】  支持部材２３の調整の範囲は、例えば着用者Ａの身長の範囲設定を１５３ｃｍから１７３ｃｍと考えた場合、この調整の範囲は２０ｃｍとなり、この範囲内に適宜間隔で係止穴２８を設けることで、支持部材２３の高さを設定した範囲内で調整できる。【００４４】  支柱２２は台板２１上に平行して２本設けられたので１本の場合に比較して支持部材２３のねじれを防ぎ、安定して上下に移動させることができる。【００４５】  着用者Ａが台板２１に載った場合、体重の殆んどは台板２１（着用者Ａの前方の台板２１）にかかるので、支持部材２３に寄りかかっても通常は転倒することは無い。支柱２２は支持部材２３の装着頭部が基端部より装着者Ａの方向に傾斜させて立設したので装着者Ａが支持部材２３へ急激に寄りかかっ場合でも、転倒（着用者Ａの背面方向の転倒）がないようにしている。【００４６】  この着付け装置を用いて着付けを行う場合、まず、着物の着丈を決めて裾の位置が変わらない様態で（図７の状態）着物の着用者Ａを支持部材２３に背部が対向する向きで（図１４で２点破線で示したように）台板２１に載せ、次いで、支持部材２３が着用者Ａの帯１３の装着予定位置３８の下方の支持適正箇所３９を支持できるように、着用者Ａの身長に対応してその高さ調整手段２６を調整して支持部材２３の高さを決め、次に、図１４、図１５で示したように、着用者Ａを支持部材に寄りかからせて着用者Ａが支持部材２３に支えられたままの状態で、以降の着付けもしくは試着を完成させ、着付けが完成すると着用者Ａを支持部材２３への寄りかかり状態から解除させるようにした。【００４７】  支持部材２３はその高さを調整するにあたり、着用者Ａの背部で帯の装着予定位置３８の下方の支持適正箇所３９を支持できる高さとすることで、着付け作業の邪魔にならずに且つ、着用者Ａも最も楽な状態で支持されるものであるが、帯１３の装着予定位置３８としては、おはしょり７の下端より上方の箇所で、支持適正箇所３９としては、帯１３の着付けの邪魔にならない箇所（図ではお太鼓結びを示しているが振袖等の場合には羽飾りの形成に邪魔にならない箇所）で、着用者Ａの臀部及びこの下側の太腿にかかる箇所で、図１４は着用者Ａが支持部材２３に多少腰かけ気味によりかかった場合を示し、図２３は臀部の多少上の方で支持部材２３に寄りかかって体重を支持部材２３に預ける（寄りかかる）場合を示している。【００４８】  図１６から図２２は支柱２２を台板２１上に折りたたむことのできる実施例を示している。【００４９】  ４０は台板２１上に固着した支持板であり、凹型に対向した内側に支柱２２の基端部を位置させる立ち上がり板４１と、上方に曲折形成したストッパー板４１ａが一体に形成されている。支柱２２は、図２０および図２１で示したように、立ち上がり板４１に設けた穴４２と対応する個所に穴４３が設けられ、穴４２、４３を貫通したボルト４４およびをナット４５で台板２１上で折りたたみ自在に枢支されている。【００５０】  立ち上がり板４１の��４２の下方には操作シャフト４７が貫通した長穴４６が形成され、操作シャフト４７は左右の突出端に設けたナット４８で脱落を防止されている。操作シャフト４７はボルト４４の先端突出部と接続したバネ４９で長穴４６の上端部方向に弾機的に引っ張られて、支柱２２の基端部を後側より押圧し、支柱２２をストッパー板４１ａに押し付けて台板２２上に立設するようにしている。【００５１】  支持部材２３に着用者Ａが寄りかかると、支柱２２の基端部はストッパー板４２で移動を阻止されて寄りかかり状態を堅固に維持する。【００５２】  以下、上記構成の動作を説明する。【００５３】  支柱２２を折りたたむ場合、操作シャフト４７を足で踏んで長穴４６の下方に移動させて支柱２２の基端部の固定を解除した状態で、支柱２２の頭部、すなわち支持部材２３を台板２１側に倒して折りたたむ。支柱２２を復帰させるには上記と逆の操作を行えばよい。【００５４】  図２３から図２７は、他の実施例を示している。台板２１に固着立設した支柱２２は、固定支柱５０とこの内部に摺動自在に収納した可動支柱５１とで構成している。可動支柱５１は、頭部に湾曲した板状の支持部材２３が設けられ、支持部材２３は、ボルト５２およびナット５３で可動支柱５１に固定した側板５４に固着されている。【００５５】  固定支柱５０と可動支柱５１は以下の高さ調整手段によって、支持部材２３の高さを調整可能としている。固定支柱５１の頭部には図２６で示したようにストッパー２９が、可動支柱５１のこの対応個所には係止穴２８が形成され、固定支柱５０の基端部には、支持部材２３の移動域に応じた長さの長穴５５が形成され、一方、可動支柱５１のこの長穴５５との対応個所には回り止めピン５６が設けられている。回り止めピン５６は可動支柱５１の穴５７より長穴５５側に突出した状態で可動支柱５１に固着している。台板２１は、支柱２２（固定支柱５０、可動支柱５１）の基端部より着用者Ａの背部方向に延長して安定部２１ａを一体に形成しているので、着用者Ａが支持部材２３に急激に寄りかかった場合の台板２２の転倒は防止される。【００５６】  以下、上記構成の動作を説明する。【００５７】  支持部材２３の高さを変えるにあたり回り止めピン５６は長穴５５内を摺動し、支持部材２３の回転を防止し、着用者Ａが安定して支持されるようにしている。ストッパー２９を前述と同様に操作することで可動支柱５１は固定支柱５０内を摺動し、前述と同様にして支持部材２３の高さ調整をおこなうことができる。【００５８】  図２８から図２９は支持部材２３の高さ調整手段２６に油圧ロック付きガススプリング５８を用いた実施例を示している。このガススプリング５８は、台板２１に立設固着した支柱５９内に装着され、下端の取り付け部６０の穴６１に支柱５９の外側より支柱の穴６２を貫通したボルト６３およびナット６４で固定されている。【００５９】油圧ロック付きガススプリング５８は、上下可動製図台や椅子等に利用されている公知のものであり、ロッド６５の先端部の可動ピン６６を押圧操作することでロッド６５は上昇し操作を解除した高さで自動的にロックされ、また可動ピン６６を操作しながらロッド６５自体に荷重をかけるとロッド６５は下降し、操作���解除した位置でロックされる。このロッド６５の先端部には支持部材２３が装着されている。【００６０】  支持部材２３は湾曲した支持板６７とこの内側に固着した取り付け板６８とで構成され、取り付け板６８にはナット６９でロッド６５の先端が連結されている。取り付け板６８の上面には、Ｖ形状のレバー７０の支点個所を枢支する枢軸７１を両側で支える軸板７２が固着されている。レバー７０は一端を可動ピン６６に上方より係合し他端は支持板６７と相互に弾発的に接続したバネ７３で取り付け板６８側、すなわち下方向に押圧されている。【００６１】  以下、上記構成の動作を説明する。【００６２】  レバー７０を押圧操作するとロック状態が解除されてロッド６５および支持部材２３はは上昇し、操作を解除した高さでロックされる。またレバー７０を押圧したままさらに荷重をかけるとロッド６５および支持部材２３は下降する。この操作を適宜に調整しながら行うことで支持部材２３を所望の高さとすることができる。【００６３】  高さ調整手段２６は、実施例に係わらずに公知の上下移動機構手段および上下間欠移動機構手段であればよいが、後述の図３４の手段も同様な作用効果が発揮できる。【００６４】  図３０から図４８は解決手段（５）（６）および（７）の実施例を示し、図３０の主柱７４と副柱７５は台板７６の両側に基端部を連結して、台板７６の上方にそれぞれ交差向きに設けられ、主柱７４の対向する上端部間には支持部材７７が高さ調整手段７８によって設けられいる。主柱７４の中央部には、図３９で示した受けナット７９が埋設された係止突起部８０と８１が連続形成され、この受けナット７９には副柱７５の先端部のピン８２が自在に嵌入する。【００６５】  主柱７４の基端部の台板７６側の側面には図３７および図３８で示したように頭部を径大としたピン８３が設けられ、このピン８３は台板７６の下面に装着された補強板８４の凸型の曲折部８５に形成した位置決め溝８６と嵌合して主柱７４の動きを規制する。副柱７５の基端部は図４０で示したように、台板７６の下面に装着した前記と同様の補強板８４ａの曲折部８５ａの穴８７よりワッシャー８８を介して止着した先端ネジ状の枢軸８９で台板７６に枢着されている。補強板８４、８４ａは台板７６の下面への取り付けにあたり、ネジ９０で安定脚９１の穴９１ａおよび補強板８４、８４ａの穴９２を挿通して安定脚９１の取り付けを兼用して装着されている。【００６６】  主柱７４と副柱７５の外側には相互を連結する連結板９３が、図４１で示したようにワッシャー９５を介してピン９４およびナット９６によって枢着されている。【００６７】  上記の構成により、台板７６に着用者Ａが載ると補強板８４の位置決め溝８６とピン８３の嵌合個所に荷重がかかるので主柱７４の基端部は堅固に固定される。また着用者Ａが支持部材７７に寄りかかった場合その荷重は副柱７５が支えることとなるが、副柱７５の先端支持個所は前記の主柱７４の係止突起部８０の嵌合構造によってハズレことがない。【００６８】  以下上記構成の折りたたみ動作を説明する。【００６９】  台板７６、主柱７４および副柱７５を折りたたんで移動および収納するには、図３１で示したように台板７６の前側を持ち上��てピン８３と位置決め溝８６の嵌合を外し、一方、副柱７５の先端部のピン８２と受けナット７９の嵌合を外して台板７６を副柱７５の内側にしまいこみ、さらに副柱７５の先端部のピン８２を次の係止突起部８１の受けナット７９に嵌めて図３２で示したように副柱７５を主柱７４に沿わせて収納する。【００７０】  次に、この実施例の支持部材７７の高さ調整手段７８を説明する。支持部材７７は図３４および図３５で示したように、着用者Ａの寄りかかる個所をＲ状とした部材であり主柱７４の先端部の内側に設けられ、左右の両側面には高さ規制板９７がネジ９７ａで装着されている。高さ規制板９７にはローラー９８、９９を備えたピン１００、１０１が間隔的に植設され、このローラー９８、９９は、主柱７４の内側面に固着したネジ１０２で止着した溝板１０３の溝部１０４に係合している。溝部１０４は上部のローラー９８を順次安定収容して間隔的に連続形成した半円状の安定溝１０５と、下方のローラー９９を収容して支持部材７７の傾きを一定に制限する長溝１０６が連続して形成されている。【００７１】  上方のローラー９８が安定溝１０５に位置して支持部材７７の高さを一定に保っているとき、下方のローラー９９は長溝１０６に係合して支持部材７７が傾かないように姿勢を保っている。支持部材７７の高さを変える場合は、支持部材７７を図３６で示したように装着者Ａ方向に傾けてローラー９８を安定溝１０５より外し、支持部材７７を移動させて所望の高さに至ったらローラー９８を対応する安定溝１０５に収容させる。この時ローラー９９は長溝１０６内を係合移動して支持部材７７は安定姿勢でスムーズに移動される。上記のローラー９８、９９の動作は、最初の位置（破断面線）途中の位置（破線）変化後の位置（実線）の順番で示している。【００７２】  上記の高さ調整手段７８を操作することで、支持部材７７は高さを変えることができ、変更後も安定した状態でその高さを維持され、特に着用者Ａが寄りかかった状態でローラー９８は安定溝１０５側に押されるので動きが規制される。【００７３】  図４２は高さ調整手段７８の他の実施例を示し、副柱７５の先端部の支え位置を変えることで支持部材７７の高さを変える場合を示している。主柱７４に係止突起部８０を間隔的に多数形成して、副柱７５の先端部で前述と同様にして支えることで、支持部材７７の高さをかえることができる。図では連続した係止突起８０の次の個所に変える事でＢの高さ変化することを示している。【００７４】  図４３から図４５および図４８は副柱７５の先端部を主柱７４に枢着した実施例を示している。枢着部は前述の図４１と同様の構成となり、副柱７５を主柱７４の外側に設けることとなるので折りたたんだ場合には、副柱７５が主柱７４の外側に重なることとなる。図４８は上記の枢着個所を主柱７４の上端部としたものを例示している、この場合は支持部材７７がより安定状態で支えられる。【００７５】  図４６と図４７は台板７６に対して、主柱７４と副柱７５の位置関係を前後逆とした実施例を示している。着用者Ａが支持部材７７に寄りかかるのでなく、腰掛け気味に寄りかかる場合は、荷重が下向きとなるのでこの実施例の方が安定して支えることとなる。【００��６】  主柱７４、副柱７５、台板７６および支持部材７７は、木製等の軽量材質を用いることで、折りたたみおよび運搬がさらに簡便となる。【００７７】  高さ調整手段７８は、前述の図１３で示した構成としても同様な作用効果が発揮できる。
【図面の簡単な説明】
【００７８】
【００７９】
【図１】着物の着付けの手順を示す説明図
【図２】同上説明図
【図３】同上説明図
【図４】同上説明図
【図５】同上説明図
【図６】同上説明図
【図７】同上説明図
【図８】同上説明図
【図９】同上説明図
【図１０】同上説明図
【図１１】同上説明図
【図１２】同上説明図
【図１３】この発明の実施の態様を示す着付け装置の斜視図
【図１４】図１３の着付け装置の使用状態を示す側面図
【図１５】図１３の着付け装置の使用状態を示す背面図
【図１６】他の実施の態様を示す着付け装置の斜視図
【図１７】図１６の平面図
【図１８】図１６の着付け装置の使用状態を示す側面図
【図１９】図１６の着付け装置の折りたたみ状態を示す側面図
【図２０】図１６のＡ−Ａ線に沿う断面図
【図２１】図１６のＢ−Ｂ線に沿う一部切り欠き断面図
【図２２】図１６のＣ−Ｃ線に沿う一部きり欠き断面図
【図２３】他の実施の態様の着付け装置の使用状態を示す側面図
【図２４】図２３の平面図
【図２５】図２３の斜視図
【図２６】図２５のＡ−Ａ線に沿う断面図
【図２７】図２５の一部切り欠き縦断面図
【図２８】他の実施の態様を示す着付け装置の斜視図
【図２９】図２８の一部切り欠き縦断面図
【図３０】他の実施の態様を示す着付け装置の斜視図
【図３１】図３０の折りたたみ過程を示す着付け装置の斜視図
【図３２】図３１の折りたたみ状態を示す着付け装置の側面図
【図３３】図３０の使用状態を示す着付け装置の側面図
【図３４】図３０の高さ調整手段を示す分解図
【図３５】図３０のＡ−Ａ線に沿う一部切り欠き断面図
【図３６】図３４の高さ調整手段の作用状態図
【図３７】図３０の台板と主柱の連結状態を示す分解斜視図
【図３８】図３０のＢ−Ｂ線に沿う断面図
【図３９】図３０の主柱と副柱の連結状態を示す分解図
【図４０】図３０のＣ−Ｃ線に沿う断面図
【図４１】図３０のＤ−Ｄ線に沿う断面図
【図４２】他の実施態様を示す着付け装置の側面図
【図４３】他の実施態様を示す着付け装置の側面図
【図４４】図４３の斜視図
【図４５】図４３の折りたたみ状態を示す斜視図
【図４６】他の実施態様を示す着付け装置の側面図
【図４７】他の実施態様を示す着付け装置の側面図
【図４８】他の実施態様を示す着付け装置の側面図
【符号の説明】
【００８０】
【００８１】  Ａ    着用者
２    着物
４    裾
１３    帯
２１    台板
２１ａ  安定部
２２    支柱
２３    支持部材
２６    高さ調整手段
３９    支持適性箇所
７４    主柱
７５    副柱
７６    台板
７７    支持部材
【図１】
2009112747.tif 000003
【図２】
2009112747.tif 000004
【図３】
2009112747.tif 000005
【図４】
2009112747.tif 000006
【図５】
2009112747.tif 000007
【図６】
2009112747.tif 000008
【図７】
2009112747.tif 000009
【図８】
2009112747.tif 000010
【図９】
2009112747.tif 000011
【図１０】
2009112747.tif 000012
【図１１】
2009112747.tif 000013
【図１２】
2009112747.tif 000014
【図１３】
2009112747.tif 000015
【図１４】
2009112747.tif 000016
【図１５】
2009112747.tif 000017
【図１６】
2009112747.tif 000018
【図１７】
2009112747.tif 000019
【図１８】
2009112747.tif 000020
【図１９】
2009112747.tif 000021
【図２０】
2009112747.tif 000022
【図２１】
2009112747.tif 000023
【図２２】
2009112747.tif 000024
【図２３】
2009112747.tif 000025
【図２４】
2009112747.tif 000026
【図２５】
2009112747.tif 000027
【図２６】
2009112747.tif 000028
【図２７】
2009112747.tif 000029
【図２８】
2009112747.tif 000030
【図２９】
2009112747.tif 000031
【図３０】
2009112747.tif 000032
【図３１】
2009112747.tif 000033
【図３２】
2009112747.tif 000034
【図３３】
2009112747.tif 000035
【図３４】
2009112747.tif 000036
【図３５】
2009112747.tif 000037
【図３６】
2009112747.tif 000038
【図３７】
2009112747.tif 000039
【図３８】
2009112747.tif 000040
【図３９】
2009112747.tif 000041
【図４０】
2009112747.tif 000042
【図４１】
2009112747.tif 000043
【図４２】
2009112747.tif 000044
【図４３】
2009112747.tif 000045
【図４４】
2009112747.tif 000046
【図４５】
2009112747.tif 000047
【図４６】
2009112747.tif 000048
【図４７】
2009112747.tif 000049
【図４８】
2009112747.tif 000050